【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
投射光を反射する反射型スクリーンであって、
一つの面に凹面状または凸面状の複数の曲面部が形成された基板と、
前記基板の曲面部上に形成された反射膜とを有し、
前記複数の曲面部は、曲率が異なる複数種類の曲面部で構成され、
前記複数の曲面部は、前記複数の曲率のなかで最大の曲率を有する最大曲率部と、最小の曲率を有する最少曲率部を含み、
第１の方向に整列された前記複数の曲面部の第１のパターンは、第１のパターンの最初の曲率の大きさ順で前記最小曲率部から最大曲率部まで整列されて、第１の方向に繰り返し設けられ、
第１の方向に整列された前記複数の曲面部の第２のパターンは、第２のパターンの最初の曲率の大きさ順で前記最大曲率部から最小曲率部まで整列されて、第１の方向に繰り返し設けられ、
前記第１のパターンと第２のパターンは、交互に配列されていることを特徴とする反射型スクリーン。
【請求項２】
請求項１に記載の反射型スクリーンにおいて、
前記最大曲率部は、前記第１の方向と直交する第２の方向において、前記最少曲率部の隣に設けられることを特徴とする反射型スクリーン。
【請求項３】
請求項１または請求項２に記載の反射型スクリーンにおいて、
前記複数の曲面部は、凹面状の曲面部であり、
各曲面部の開口外周縁は、基板の厚さ方向の位置が互いに一致していることを特徴とする反射型スクリーン。
【請求項４】
請求項１から請求項３のいずれかに記載の反射型スクリーンにおいて、
前記複数の曲面部は、曲率が異なる２種類または３種類の曲面部で構成されていることを特徴とする反射型スクリーン。
【請求項５】
請求項１から請求項４のいずれかに記載の反射型スクリーンと、
前記反射型スクリーンの曲面部が形成された面に光を投射する投影機とを備えることを特徴とする投影システム。
【請求項６】
請求項１から請求項４のいずれかに記載の反射型スクリーンと、
前記反射型スクリーンの曲面部が形成された面に光を投射する投影ユニットと、
前記反射型スクリーンおよび投影ユニットが収納された筐体とを備えることを特徴とするフロントプロジェクションテレビ。
【請求項７】
投射光を反射する反射型スクリーンの製造方法であって、
原板の成型面側に複数の第１開口部が設けられたマスク膜を形成し、前記マスク膜の第１開口部を通じて前記原板の成型面に所定の段階まで等方性エッチングを施すことで、前記成型面に複数の第１の凹部を形成する第１凹部形成工程と、
前記マスク膜に第２の凹部を形成するための新たな複数の第２開口部を形成し、マスク膜の第１開口部および第２開口部を通じて前記原板の成型面に所定の段階まで等方性エッチングを施すことで、前記成型面に複数の第１の凹部と、この第１の凹部と曲率が異なる複数の第２の凹部を形成する第２凹部形成工程と、
第１および第２の凹部が形成された原板の成型面を転写して凸面状の２種類の曲面部を有する基板を成型し、または、前記原板の成型面を転写して製造された成形型の凸部が形成された成型面を転写して凹面状の２種類の曲面部を有する基板を成型し、この基板の曲面部に反射膜を形成するスクリーン成形工程と
を有することを特徴とする反射型スクリーンの製造方法。
【請求項８】
投射光を反射する反射型スクリーンの製造方法であって、
原板の成型面側に複数の第１開口部が設けられたマスク膜を形成し、前記マスク膜の第１開口部を通じて前記原板の成型面に所定の段階まで等方性エッチングを施すことで、前記成型面に複数の第１の凹部を形成する第１凹部形成工程と、
前記マスク膜に第２の凹部を形成するための新たな複数の第２開口部を形成し、マスク膜の第1開口部および第２開口部を通じて前記原板の成型面に所定の段階まで等方性エッチングを施すことで、前記成型面に複数の第１の凹部と、この第１の凹部と曲率が異なる複数の第２の凹部を形成する第２凹部形成工程と、
前記マスク膜に第３の凹部を形成するための新たな複数の第３開口部を形成し、マスク膜の第１，２，３の各開口部を通じて前記原板の成型面に所定の段階まで等方性エッチングを施すことで、前記成型面に前記第１および第２の凹部とは曲率が異なる複数の第３の凹部を形成する第３凹部形成工程と、
第１，２，３の凹部が形成された原板の成型面を転写して凸面状の３種類の曲面部を有する基板を成型し、または、前記原板の成型面を転写して製造された成形型の凸部が形成された成型面を転写して凹面状の３種類の曲面部を有する基板を成型し、この基板の曲面部に反射膜を形成するスクリーン成形工程と
を有することを特徴とする反射型スクリーンの製造方法。
【手続補正２】
【補正対象書類名】明細書
【補正対象項目名】０００６
【補正方法】変更
【補正の内容】
【０００６】
本発明の反射型スクリーンは、投射光を反射する反射型スクリーンであって、一つの面に凹面状または凸面状の複数の曲面部が形成された基板と、前記基板の曲面部上に形成された反射膜とを有し、前記複数の曲面部は、曲率が異なる複数種類の曲面部で構成され、前記複数の曲面部は、前記複数の曲率のなかで最大の曲率を有する最大曲率部と、最小の曲率を有する最少曲率部を含み、第１の方向に整列された前記複数の曲面部の第１のパターンは、第１のパターンの最初の曲率の大きさ順で前記最小曲率部から最大曲率部まで整列されて、第１の方向に繰り返し設けられ、第１の方向に整列された前記複数の曲面部の第２のパターンは、第２のパターンの最初の曲率の大きさ順で前記最大曲率部から最小曲率部まで整列されて、第１の方向に繰り返し設けられ、前記第１のパターンと第２のパターンは、交互に配列されていることを特徴とする。
【手続補正３】
【補正対象書類名】明細書
【補正対象項目名】０００８
【補正方法】変更
【補正の内容】
【０００８】
また、本発明では、少なくとも第１の方向に並ぶ複数の曲面部の整列パターンを、第１のパターンおよび第２のパターンとして、曲率が同じ曲面部が連続しないように構成しているので、シンチレーションの発生を減少でき、投影画像を鮮明に映し出すことができる。
ここで、第１の方向とは、例えば、壁などに設置されたスクリーンにおいて、上下方向（縦方向）や水平方向（横方向）等のある一方向を意味する。例えば、プロジェクターが床や天井に設置されてスクリーンに対して斜め下方あるいは斜め上方から光を投射する場合、前記第１の方向は水平方向等とし、プロジェクターがスクリーンに対して左右の方向から光を投射する場合、前記第１の方向は上下方向等とすればよい。要するに、前記第１の方向は、プロジェクターとスクリーンとの位置関係などを考慮し、シンチレーションの発生を減少させたい方向に設定すればよい。
また、この第１の方向は、各曲面部において互いに平行な方向でなくてもよく、例えば、スクリーンの中央下方から反射面に対して鋭角にプロジェクター等の投射光が投射される場合に、当該角度による反射面における投射光の拡がり具合に合わせて放射状に同じ径（曲率）の曲面部を配列する場合などには、放射状に沿った方向でシンチレーションが発生し易いため、少なくともこの放射状に沿った方向を第１の方向とすることが好ましい。
【手続補正４】
【補正対象書類名】明細書
【補正対象項目名】０００９
【補正方法】変更
【補正の内容】
【０００９】
近接投射型のプロジェクター用のスクリーンでは、投射光をスクリーンの正面方向に反射するため、凹面状または凸面状の曲面部が形成されている。このようなスクリーンでは、通常、各曲面部を全て均一の大きさとしていた。しかし、アルミニウム膜などによって反射率を高めると、各曲面部から反射する光が互いに干渉することによってシンチレーションが発生してしまうことがあった。
これに対し、本発明では、基板の一つの面（反射面）に形成された複数の曲面部のうち、少なくとも第１の方向に並ぶ複数の曲面部において、最小曲率部から最大曲率部まで最初の曲率の大きさ順で整列されたパターンを繰り返す第１のパターンと、最大曲率部から最小曲率部まで最初の曲率の大きさ順で整列されたパターンを繰り返す第２のパターンとを交互に配列している。例えば、複数の曲面部が、第１の曲率の第１曲面部と、第２の曲率の第２曲面部との２種類で構成されている場合、第１の方向に並ぶ曲面部においては、第１および第２曲面部が交互に配置されている。
【手続補正５】
【補正対象書類名】明細書
【補正対象項目名】００１０
【補正方法】変更
【補正の内容】
【００１０】
このように曲面部を配置することで、第１の方向においては、隣り合う曲面部で曲率が異なる。曲率が異なる曲面部に対して投射光を照射すると、曲面部で反射された反射光の光路差を、スクリーンに照射される光（例えばプロジェクターの投射光）のコヒーレンス長（干渉する長さ）よりも長くすることができる。
このように、反射光の光路差が投射光のコヒーレンス長よりも長くなると、この部分においてはシンチレーションが発生しなくなり、結果としてぎらつきを防止することができ、高画質な画像を表示することができる。従って、反射型スクリーンにおいて、第１の方向においては隣り合う曲面部で曲率が異なるため、シンチレーションの発生を減少できる。
【手続補正６】
【補正対象書類名】明細書
【補正対象項目名】００１１
【補正方法】変更
【補正の内容】
【００１１】
本発明において、前記最大曲率部は、前記第１の方向と直交する第２の方向において、前記最少曲率部の隣に設けられることが好ましい。
ここで、第２の方向とは、第１の方向に対して直交する方向である。例えば、壁に設置されるなどで垂直方向に設置されたスクリーンにおいて、第１の方向が上下方向であれば、第２の方向は左右方向（水平方向）である。
また、第１の方向を、スクリーン下端中心から放射線状に設定した場合には、第２の方向を、前記スクリーン下端を中心とする円弧の方向に設定してもよい。
【手続補正７】
【補正対象書類名】明細書
【補正対象項目名】００１２
【補正方法】変更
【補正の内容】
【００１２】
第１の方向だけでなく第２の方向においても、隣り合う曲面部で曲率が異なる部分を設けることができるので、隣り合う曲面部で曲率が異なる部分を第１の方向のみで設定した場合に比べて増やすことができ、シンチレーションの発生をより減少できる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】